(57)【要約】      （修正有）【課題】素子の調整を１つの基板側で行うことで調整を行い易くすることが可能な液晶表示装置を提供する。【解決手段】ＬＥＤを光源として備えるランプ基板８２と、前記ランプ基板８２に前記ＬＥＤを駆動するための駆動電流を供給する駆動回路基板８１と、を備えるバックライトユニット８を有する液晶表示装置において、前記駆動回路基板８１は、前記ランプ基板８２に駆動電流を供給する駆動電流出力端子と、電圧値に応じて前記駆動電流出力端子から供給される駆動電流の電流値を設定する設定端子と、を備えるＩＣを有し、前記ランプ基板８２は、前記設定端子に発生する電圧を設定するための設定抵抗８５を有し、前記設定抵抗８５と、前記設定端子とは配線を通じて接続されている。【選択図】図２
2013149409.tif 000002
【特許請求の範囲】
【請求項１】
ＬＥＤを光源として備えるランプ基板と、前記ランプ基板に前記ＬＥＤを駆動するための駆動電流を供給する駆動回路基板と、を備えるバックライトユニットを有する液晶表示装置において、
前記駆動回路基板は、前記ランプ基板に駆動電流を供給する駆動電流出力端子と、電圧値に応じて前記駆動電流出力端子から供給される駆動電流の電流値を設定する設定端子と、を備えるＩＣを有し、
前記ランプ基板は、
前記設定端子に発生する電圧を設定するための設定抵抗を有し、
前記設定抵抗と、前記設定端子とは、配線を通じて接続されていることを特徴とする液晶表示装置。
【請求項２】
前記ランプ基板と前記駆動回路基板とはコネクターを通じて接続され、
前記設定抵抗は、前記コネクターを通じて前記設定端子に接続されていることを特徴とする請求項１に記載の液晶表示装置。
【請求項３】
前記ランプ基板は、複数のＬＥＤを直列接続して構成される光源を備えることを特徴とする請求項１又は請求項２のいずれかに記載の液晶表示装置。
【請求項４】
前記設定抵抗は、サーミスタであることを特徴とする請求項１から請求項３のいずれか一項に記載の液晶表示装置。
【発明の詳細な説明】
【技術分野】
【０００１】
本発明は、バックライトを備える液晶表示装置に関し、ＬＥＤを光源とするバックライトを備える液晶表示装置に関する。
【背景技術】
【０００２】
従来、映像等を表示する液晶表示装置では、バックライトから照射される光の透過率を、映像データーに応じて変化させて映像を表示している。また、バックライトの光源としては、蛍光管以外にも、ＬＥＤ（Light Emitting Diode）といった自発光型の光源も用いられている。
【０００３】
また、バックライトが光源としてＬＥＤを用いる場合、ＬＥＤには駆動電流を供給する必要がある。そのため、バックライトは、駆動電流を発生させる駆動回路を備え、この駆動回路から配線を通じて各ＬＥＤの駆動電流を供給していた（例えば、特許文献１−３参照。）。
【先行技術文献】
【特許文献】
【０００４】
【特許文献１】実用新案登録  第３１５６０００号公報
【特許文献２】特開２００６−４８３９号公報
【特許文献３】特開２００６−２７８３０４号公報
【発明の概要】
【発明が解決しようとする課題】
【０００５】
ＬＥＤの発光輝度を調整するために、駆動回路から供給する駆動電流を調整する必要がある。その調整方法の一つとして駆動電流を調整するための設定抵抗を設け、この設定抵抗の抵抗値に応じて駆動電流を調整するものがある。ここで、従来、設定抵抗は駆動回路が実装される基板側に設けられており、駆動電流を調整するためには基板に設けられた設定抵抗を調整する必要があった。即ち、ランプ基板側に実装されるＬＥＤの発光輝度を調整するために、駆動回路が実装された基板に備えられた設定抵抗を基準値に近づくよう調整する必要があった。
【０００６】
本発明は、上記課題にかんがみてなされたもので、素子の調整を１つの基板側で行うことで調整を行い易くすることが可能な液晶表示装置の提供を目的とする。
【課題を解決するための手段】
【０００７】
上記課題の少なくとも１つを達成するために、本発明では、ＬＥＤを光源として備えるランプ基板と、前記ランプ基板に前記ＬＥＤを駆動するための駆動電流を供給する駆動回路基板と、を備えるバックライトユニットを有する液晶表示装置において、前記駆動回路基板は、前記ランプ基板に駆動電流を供給する駆動電流出力端子と、電圧値に応じて前記駆動電流出力端子から供給される駆動電流の電流値を設定する設定端子と、を備えるＩＣを有し、前記ランプ基板は、前記設定端子に発生する電圧を設定するための設定抵抗を有し、前記設定抵抗と、前記設定端子とは配線を通じて接続されている。
【０００８】
上記のように構成された発明では、駆動回路基板のＩＣは、ランプ基板に駆動電流を供給する駆動電流出力端子と、電圧値に応じて駆動電流出力端子から供給される駆動電流の電流値を設定する設定端子と、を備える。また、ランプ基板は、設定端子に発生する電圧を設定するための設定抵抗を有し、この設定抵抗は、設定端子と配線を通じて接続されている。
そのため、駆動電流を設定するための設定抵抗をランプ基板側に配置することで、ランプ基板側だけで発光輝度の管理を行うことが可能となる。
【発明の効果】
【０００９】
以上説明したように、本発明によれば、ＬＥＤの発光輝度の調整を１つの基板で行うことで調整を行い易くすることができる。
【図面の簡単な説明】
【００１０】
【図１】液晶表示装置１の構成を説明するためのブロック構成図である。
【図２】バックライトユニットを説明するブロック構成図である。
【発明を実施するための形態】
【００１１】
以下、本発明の実施形態を説明する。
【００１２】
（１）液晶表示装置の構成
以下、図を参照して、この発明に係る液晶表示装置を具体化した第１の実施の形態について説明する。
図１は、液晶表示装置１の構成を説明するためのブロック構成図である。また、図２は、バックライトユニットを説明するブロック構成図である。
【００１３】
図１に示すように、液晶表示装置１は、図示しない筺体内部に、液晶型の表示パネル９と、バックライトユニット８と、コントローラー７と、ドライバー回路６と、電源回路５と、を備えて構成されている。上記構成の液晶表示装置１では、図示しない外部機器を通じて入力された映像データー又は図示しないチューナーを介して取得された放送信号をもとに、表示パネル９に映像を表示する。
【００１４】
表示パネル９は、液晶を充填した画素をその解像度に応じて複数配置して構成された画面を備えている。また、画面を構成する各画素には、同画素に対向するよう配置された電極を備えており、この電極にドライバー回路６から供給される駆動電圧を印加することで画素を駆動させ、液晶の配向を変化させる。また、表示パネル９は、画素を駆動させる走査線を選択するためのスイッチが多数設けられており、このスイッチにより選択された走査線上の画素に対向する電極に駆動電圧が供給される。
【００１５】
コントローラー７は、バスを介して各部と接続されており、液晶表示装置１における統合的な制御を行う。また、コントローラー７は、演算を行うためのＣＰＵ（Central Processing Unit）や、このＣＰＵに所定の演算を実行させるためのプログラムが記録されたＲＯＭ(Read Only Memory)や、ＣＰＵのワークエリアとして作用するＲＡＭ（Random Access Memory）を備えて構成されている。そして、コントローラー７は、図示しないチューナー等を介して映像データーが入力すると、この映像データーに対して画素数変換処理やガンマ補正等の所定の信号処理を施す。
【００１６】
そして、コントローラー７の出力側はドライバー回路６と接続されている。ドライバー回路６は、映像データーをデジタル・アナログ変換してこの映像データーが示す階調値に応じた駆動電圧を生成する。そして、ドライバー回路６の出力側は、表示パネル９の走査線に接続されており、映像データーに含まれる垂直同期信号及び水平同期信号に基づいて、各走査ライン上の電極に駆動電圧を供給する。そのため、駆動電圧が供給された電極は対向する画素に対して駆動電圧を印加し画素を駆動させる。
【００１７】
電源回路５は、バックライトユニット８、コントローラー７、及びドライバー回路６とそれぞれ接続されている。また、電源回路５は、図示しない商用電源等の外部電源から電源供給を受け、この電源から安定化電源を生成した後、上記バックライトユニット８、コントローラー７、ドライバー回路６に電源を供給する。
【００１８】
さらに、図２に示すように、バックライトユニット８は、図示しない筺体内部において表示パネル９の背面又は側面に配置される。そして、バックライトユニット８は、電源回路５から供給される電源により駆動し、光束を表示パネル９に照射する。本実施形態にかかるバックライトユニットは、ＬＥＤ駆動基板（駆動回路基板）８１と、ＬＥＤ（Light Emitting Diode）を基板上に配置して構成されるランプ基板８２と、を備えて構成されている。また、ＬＥＤ駆動基板８１と、ランプ基板８２とは、コネクター８３を介して着脱可能に接続される。
【００１９】
ＬＥＤ駆動基板８１は電源回路５と接続されており、電源回路５から供給される駆動電圧Ｖｉｎをもとに、ランプ基板８２に供給する駆動電流ＩLEDを生成して出力する。具体的には、ＬＥＤ駆動基板８１は、その内部に、駆動電圧Ｖinを用いて駆動し、ランプ基板８２に供給する駆動電流ＩLEDを出力する駆動用ＩＣ８４を備えて構成されている。
【００２０】
駆動用ＩＣ８４は、入力及び出力を行う複数の端子と、内部に所定の演算を行う演算ブロックを備えるＩＣ（Integrated Circuit）により実現される。本実施形態では、このような駆動用ＩＣ８４の一例として、ローム株式会社のＢＤ８１１９ＦＭ−Ｍを使用している。
【００２１】
具体的には、駆動用ＩＣ８４の入力電源端子Ｖｃｃは電源回路５と接続され、電源回路５から駆動電圧Ｖinの提供を受ける。また、駆動用ＩＣ８４内部では、定電圧発生ブロック８４ａが入力電源端子Ｖｃｃと接続されている。この定電圧発生ブロック８４ａは、駆動電圧Ｖinをもとに、駆動用ＩＣ８４を駆動するための電源電圧を生成する。
【００２２】
また、駆動用ＩＣ８４の内部では、定電流ドライバー８４ｂが入力側で調光信号入力端子ＰＷＭと、出力電流設定端子ＩSETにそれぞれ接続され、出力側で出力端子ＬＥＤ１〜ＬＥＤ４にそれぞれ接続されている。定電流ドライバー８４ｂは、調光信号入力端子ＰＷＭで設定される電圧のデューティ比、及び出力電流設定端子ＩSETで設定される電流値をもとに、駆動電流ＬＥＤ１〜ＬＥＤ４のデューティ比及び電流値を設定する。本実施形態では、調光信号入力端子ＰＷＭはコントローラー７に接続され、出力電流設定端子ＩSETは、ランプ基板８２の設定抵抗８５と、コネクター８３を介して接続されている。そのため、コントローラー７から供給されるデューティ比制御信号Ｄｕｔｙ、及びランプ基板８２側の設定抵抗８５の抵抗値に応じて、定電流ドライバー８４ｂからは、所定の駆動電流ＩLEDが出力される。
【００２３】
そして、定電流ドライバー８４ｂの出力側と接続された出力端子ＬＥＤ１〜ＬＥＤ４はそれぞれコネクター８３の駆動電流供給ポートに接続されており、コネクター８３の他方に接続されたランプ基板８２に駆動電流ＩLEDを供給する。
【００２４】
一方、ランプ基板８２は、ＬＥＤ素子を直列に接続して成るＬＥＤバーBAR1〜BAR4や、出力電流設定端子ＩSETに発生させる設定電圧を設定する設定抵抗８５を備える。本実施形態では、ＬＥＤ素子を直列接続したＬＥＤバーBARを光源として使用するが、ＬＥＤ素子の接続形態はこれに限定されない。
【００２５】
また、各ＬＥＤバーBAR1〜BAR4の一端は、コネクター８３の駆動電流供給ポートと接続されており、他端がコネクター８３のグランド端子に接続されている。なお、このグランド端子は、コネクター８３の他端でＬＥＤ駆動基板８１に実装されたグランドに接続されている。そのため、各ＬＥＤバーBAR1〜BAR4は、ＬＥＤ駆動基板８１から駆動電流ＩLED1〜ＩLED4の供給を受け、各ＬＤＥ素子を発光させる。
【００２６】
また、設定抵抗８５の一端は、配線Ｌ２を通じてコネクター８３の設定ポートに接続され、他端がグランド端子に接続されている。そのため、コネクター８３及び配線を通じて、設定抵抗８５はＬＥＤ駆動基板８１の出力電流設定端子Ｉsetに接続される。
ここで、設定抵抗８５の抵抗値は、ＬＥＤバーの発光特性に応じて設定されている。具体的には、ＬＥＤバー全体での基準照度を予め設定しておき、ＬＥＤバーBAR1〜BAR4がこの基準照度を満たす駆動電流ＩLEDが供給されるよう設定抵抗８５の値を設定するものである。
【００２７】
（２）本発明の作用・効果
上記構成の液晶表示装置１において、以下の作用・効果を得ることができる。
即ち、ＬＥＤバーの発光輝度を設定するための設定抵抗８５をランプ基板８２側に備えることで、ＬＥＤバーの発光輝度の管理をランプ基板８２側だけで行うことができる。例えば、複数のＬＥＤを直列接続してＬＥＤバーを構成する場合、各ＬＥＤ単体の発光輝度のバラツキによりＬＥＤバーの発光輝度にバラツキが生じる場合がある。このような場合において、ＬＥＤバーの各発光特性に応じて、予めランプ基板８２の設定抵抗８５の抵抗値を基準輝度に応じて合わせ込むことができるため、ＬＥＤ駆動基板８１側の回路構成を変更することなく発光輝度の管理を行うことができる。
【００２８】
（３）その他の実施形態
また、設定抵抗８５は、温度に応じて抵抗値が変化するサーミスタであってもよい。ランプ基板８２に設ける設定抵抗８５をサーミスタとすることで、第１の実施形態で説明した効果に加えて、以下の効果を奏する。即ち、ＬＥＤバーの熱量に応じてサーミスタの抵抗値を低くすることができるため、変化後のサーミスタの抵抗値に応じて駆動電流ＩLEDの値を自動で調整するフィードバック回路を実現することができる。
【００２９】
上記実施例の中で開示した相互に置換可能な部材および構成等を適宜その組み合わせを変更して適用すること、公知技術であって上記実施例の中で開示した部材および構成等と相互に置換可能な部材および構成等を適宜置換し、またその組み合わせを変更して適用すること、公知技術等に基づいて当業者が上記実施例の中で開示した部材および構成等の代用として想定し得る部材および構成等と適宜置換し、またその組み合わせを変更して適用すること、は本発明の一実施例として開示されるものである。
【符号の説明】
【００３０】
１…液晶表示装置、５…電源回路、６…ドライバー回路、７…コントローラー、８…バックライトユニット、９…表示パネル、８１…ＬＥＤ駆動基板、８２…ランプ基板、８３…コネクター、８４ａ…定電圧発生ブロック、８４ｂ…定電流ドライバー、８５…設定抵抗
【図１】
2013149409.tif 000003
【図２】
2013149409.tif 000004